(57)【特許請求の範囲】
【請求項１】
ハウジング内に複数油種の計量機構を収納し、各計量機構に接続された給油ホースの先端に給油ノズルを設け、各給油ノズルを掛けるノズル掛けをハウジングに設けた給油装置において、給油ノズルをロックするロックピンと、このロックピンをロック状態に付勢するバネと、ロックピンをロック状態から解除するソレノイドで構成されたノズルロック機構をノズル掛けに設け、また、給油ノズルの掛け外しにより開閉するノズルスイッチと、ロックが解除された給油ノズルから給油される油種を報知する油種を視覚で報知するランプと、油種を聴覚で報知する発声器である報知手段とを設け、さらに、ノズルロック機構を解除する解除スイッチを設け、解除スイッチを押すことによりノズルロック機構による給油ノズルのロックが解除され、前記ノズルロック機構による給油ノズルのロックの解除を保持する解除保持スイッチを設け、前記解除スイッチによる給油ノズルのロックの解除は、一定時間経過しても給油ノズルがノズル掛けから外されないと再びロックされることを特徴とした給油装置。
【発明の詳細な説明】
【０００１】
【発明の属する技術分野】
本発明は、燃料油を自動車へ供給する給油装置で、特に複数の油種が給油できる給油装置の改良に関するものである。
【０００２】
【従来の技術】
自動車の燃料油にはガソリン系と軽油系があり、油種を間違えるとエンジン故障及び交通事故の原因となるので、油種を間違えて給油することがない給油装置が望まれている。そこで本出願人は、特開平５ー１６２７９５号で油種を間違えないで給油ができる給油装置を提案している。このものは有効であるが、カードとカードリーダを使用して油種の選択をしているので、油種間違えを確実に防止できるが、給油装置が高価となる不都合がある。
【０００３】
【発明が解決しようとする課題】
そこで本発明は、複数の油種を給油できる給油装置で、誤油種の給油を防止できる安価な給油装置を提供することである。
【０００４】
【課題を解決するための手段】
上記目的を達成するために、本発明は、ハウジング内に複数油種の計量機構を収納し、各計量機構に接続された給油ホースの先端に給油ノズルを設け、各給油ノズルを掛けるノズル掛けをハウジングに設けた給油装置において、給油ノズルをロックするロックピンと、このロックピンをロック状態に付勢すると、ロックピンをロック状態から解除するソレノイドで構成されたノズルロック機構をノズル掛けに設け、また、給油ノズルの掛け外しにより開閉するノズルスイッチと、ロックが解除された給油ノズルから給油される油種を報知する油種を視覚で報知するランプと、油種を聴覚で報知する発声器である報知手段とを設け、さらに、ノズルロック機構を解除する解除スイッチを設け、解除スイッチを押すことによりノズルロック機構による給油ノズルのロックが解除され、前記ノズルロック機構による給油ノズルのロックの解除を保持する解除保持スイッチを設け、前記解除スイッチによる給油ノズルのロックの解除は、一定時間経過しても給油ノズルがノズル掛けから外されないと再びロックされることを要旨とするものである。
【０００５】
本発明によれば、ウジング内に複数油種の計量機構を収納し、各計量機構に接続された給油ホースの先端に給油ノズルを設け、各給油ノズルを掛けるノズル掛けをハウジングに設けた給油装置において、前記各給油ノズルをロックするノズルロック機構と、ロックが解除された給油ノズルから給油される油種を報知する報知手段と、ノズルロック機構を解除する解除スイッチとを設け、解除スイッチを押すことによりノズルロック機構による給油ノズルのロックが解除され、報知手段が油種を報知するので、解除スイッチを押すという給油者の意志による油種選択動作と、報知手段による選択された油種の報知動作により、誤油種の給油を防止することができ、しかも安価な給油装置となる。
【０００６】
そして、前記ノズルロック機構による給油ノズルのロックの解除を保持する解除保持スイッチを設けたので、この解除保持スイッチを押しておくことにより、油種を間違える虞がないベテランの給油者の場合にスピーディな給油作業ができるようになる。
【０００７】
また、前記報知手段は油種を視覚で報知するランプと、油種を聴覚で報知する発声器であるので、視覚と聴覚の両方で油種が給油者へ報知され、油種を間違えることをより確実に防止できるようになる。
【０００８】
さらに、前記解除スイッチによる給油ノズルのロックの解除は、一定時間経過しても給油ノズルがノズル掛けから外されないと再びロックされるので、誤操作により解除スイッチがダブって押されても、次回に油種を間違えた給油ノズルが選択されることを防止できるようになる。
【０００９】
【発明の実施の形態】
以下、本発明の実施の形態を説明する。図１に示すように、給油装置１のハウジング２には複数のノズル掛け３ａ、３ｂ、３ｃ（以下代表する場合は３で示す）が設けられ、各ノズル掛け３にはそれぞれ給油ノズル４ａ、４ｂ、４ｃ（以下代表する場合は４で示す）が設けられている。各給油ノズル４は給油ホース５ａ、５ｂ、５ｃ（以下代表する場合は５で示す）を介してハウジング２内に設けられている図示しない各計量機構に接続されている。そして、給油ノズル４ａからはレギュラガソリンが、給油ノズル４ｂからはハイオクタンガソリンが、給油ノズル４ｃからは軽油が給油できるようになっている。また、ハウジング２には給油量を表示する表示器６、キーパッド７、及び制御装置８が設けられている。キーパッド７には、ロックが解かれた給油ノズル４から給油される油種を知らせる報知手段の発声器７ａ、プリセット用のテンキー７ｂ、小型の表示器７ｃ等が設けられている。
【００１０】
図２、３に示すように、ノズル掛け３にはノズルロック機構９が設けられている。このノズルロック機構９は、給油ノズル４をロックするロックピン９ａと、ロックピン９ａをロック状態に付勢するバネ９ｂと、ロックピン９ａをロック状態から解除するソレノイド９ｃで構成されている。そして、ノズル掛け３の下部には給油ノズル４の掛け外しにより開閉するノズルスイッチ１０が設けられ、ノズル掛け３の上部には給油ノズル４のロックを解除する解除スイッチ１１、解除スイッチ１１が押されてロックが解かれた給油ノズル４から給油される油種を知らせる報知手段のランプ１２、及び給油ノズル４のロックを解除し続ける解除保持スイッチ１３が設けられている。なお、この解除保持スイッチ１３は凹部内に設けられ、不用意に押されないようにしてある。
【００１１】
そして、上述した各スイッチ１０、１１、１３からのオン・オフ信号は制御装置８へ入力し、制御装置８からキーパッド７の発声器７ａ、ノズルロック機構９のソレノイド９ｃ、及びランプ１２へ各種の信号が出力されるようになっている。
【００１２】
次に図４のフロー図に基づいて給油装置１の動作を説明する。顧客の車が給油装置１の前に停車し、給油者が所望の油種用の給油ノズル４の解除スイッチ１１を押し、解除スイッチ１１からオン信号が制御装置８に入力すると（ＳＴ１）、制御装置８はノズルロック機構９へ解除信号を出力し、ロックが解除された給油ノズルから給油される油種を知らせる報知手段へ駆動信号を出力する（ＳＴ２）。これによりノズルロック機構９のソレノイド９ｃが励磁されてバネ９ｂに抗してロックピン９ａが引っ込み、給油ノズル４のロックが解除される。そして、ロックが解除された給油ノズル４から給油される油種を知らせる報知手段の発声器７から「油種は〇〇です」と数回発声され、油種を知らせる報知手段のランプ１２が点滅する。
【００１３】
このようにして、解除スイッチ１１を押す操作による油種の確認、発声器７による聴覚での油種の確認、ランプ１２の点滅による視覚での油種の確認がおこなわれ、油種の間違えを確実に防止できるようになる。
【００１４】
給油者が給油ノズル４をノズル掛け３から外してノズルスイッチ１０が閉じ、ノズルスイッチ１０からオン信号が制御装置８に入力すると（ＳＴ３）、制御装置８は計量機構へ駆動信号を出力し（ＳＴ４）、計量機構が駆動して給油ノズル４から給油できるようになる。そして、給油ノズル４を車の給油口へ挿入して給油をすると、計量機構で計られた給油量は表示器６に表示される。
【００１５】
給油が終わり、給油ノズル４をノズル掛け３に掛けてノズルスイッチ１０が開き、ノズルスイッチ１０からオフ信号が制御装置８へ入力すると（ＳＴ５）、制御装置８は計量機構へ停止信号を出力し（ＳＴ６）、計量機構は停止する。さらに、ノズルロック機構９へロック信号を出力し、報知手段のランプ１２へ停止信号を出力し（ＳＴ７）、ノズルロック機構９のソレノイド９ｃは消磁し、バネ９ｂによりロックピン９ａは突出して給油ノズル４をロックし、ランプ１２は消灯する。
【００１６】
なお、ステップＳＴ３で一定時間、例えば１０秒経過しても給油ノズル４がノズル掛け３から外されない場合は（ＳＴ８）、制御装置８は給油ノズル４をロックし、油種の報知を停止する（ＳＴ７）。このように、解除スイッチ１１を押し間違えたり、複数の解除スイッチ１１を押したりした場合に、給油ノズル４は再びロックされるので、ロックが解除され続けることがなくなり、油種の間違えを防止できるようになる。
【００１７】
また、ベテランの給油者で油種を間違える可能性がない場合は、解除保持スイッチ１３を閉じ、解除保持スイッチ１３からオン信号が入力すると（ＳＴ９）、制御装置８はノズルロック機構９へ解除信号を出力する（ＳＴ１０）。これによりノズルロック機構９による給油ノズル４のロックが解除され続ける。
【００１８】
給油者が給油ノズル４をノズル掛け３から外してノズルスイッチ１０が閉じ、ノズルスイッチ１０からオン信号が制御装置８に入力すると（ＳＴ１１）、制御装置８は計量機構へ駆動信号を出力し（ＳＴ１２）、計量機構が駆動して給油ノズル４から給油できるようになる。そして、給油ノズル４を車の給油口へ挿入して給油をすると、計量機構で計られた給油量は表示器６に表示される。
【００１９】
給油が終わり、給油ノズル４をノズル掛け３に掛けてノズルスイッチ１０が開き、ノズルスイッチ１０からオフ信号が制御装置８へ入力すると（ＳＴ１３）、制御装置８は計量機構へ停止信号を出力し（ＳＴ１４）、計量機構は停止する。
【００２０】
そして、次の車へ給油をするために給油ノズル４をノズル掛け３から外すと、ステップＳＴ１１以下が再び実行される。また、ベテランの給油者から普通の給油者へ変わった場合は、解除保持スイッチ１３を開き、解除保持スイッチ１３からオフ信号が入力すると（ＳＴ１５）、制御装置８はノズルロック機構９へロック信号を出力し（ＳＴ１６）、給油ノズル４は再びロックされる。
【００２１】
このように解除保持スイッチ１３を閉じるとノズルロック機構９による給油ノズル４のロックが解除され続けるので、ベテラン給油者の給油作業がスピィーディにおこなえるようになる。
【００２２】
上述した実施例では解除スイッチ１１をノズル掛け３に設けたが、キーパッド７に設けてもよい。即ち、図５に示すように、発声器７ａ、テンキー７ｂ、小型の表示器７ｃ等を設けたキーパッド７に、レギュラガソリン用の解除スイッチ１１ａ、ハイオクタンガソリン用の解除スイッチ１１ｂ、軽油用の解除スイッチ１１ｃを設けている。このようにキーパッド７に設けることにより、給油量の設定と同時に油種の選択ができ、給油操作がスピーディにできるようになる。
【００２３】
【発明の効果】
以上説明したように本発明は、ハウジング内に複数油種の計量機構を収納し、各計量機構に接続された給油ホースの先端に給油ノズルを設け、各給油ノズルを掛けるノズル掛けをハウジングに設けた給油装置において、前記各給油ノズルをロックするノズルロック機構と、ロックが解除された給油ノズルから給油される油種を報知する報知手段と、ノズルロック機構を解除する解除スイッチとを設け、解除スイッチを押すことによりノズルロック機構による給油ノズルのロックが解除され、報知手段が油種を報知するので、解除スイッチを押すという給油者の意志による油種選択動作と、報知手段による選択された油種の報知動作により、誤油種の給油を防止することができ、しかも安価な給油装置となる。
【図面の簡単な説明】
【図１】  本発明の給油装置の正面図である。
【図２】  給油装置のノズル掛け部分の一部を断面で示す正面図である。
【図３】  給油装置のノズル掛け部分を断面で示す側面図である。
【図４】  給油装置の制御のフロー図である。
【図５】  他の実施の形態のキーパッドの正面図である。
【符号の説明】
１  給油装置
２  ハウジング
３  ノズル掛け
４  給油ノズル
５  給油ホース
６  表示器
７  キーパッド
７ａ  発声器
７ｂ  テンキー
７ｃ  小型の表示器
８  制御装置
９  ノズルロック機構
９ａ  ロックピン
９ｂ  バネ
９ｃ  ソレノイド
１０  ノズルスイッチ
１１、１１ａ、１１ｂ、１１ｃ  解除スイッチ
１２  ランプ
１３  解除保持スイッチ
【図１】
0004019530.tif 000002
【図２】
0004019530.tif 000003
【図３】
0004019530.tif 000004
【図４】
0004019530.tif 000005
【図５】
0004019530.tif 000006